(57)【要約】【課題】電子番組表情報を受信し、その情報をデコードする回路をそなえずとも、電子番組表を用いて録画予約作業を行うための録画装置を提供する。【解決手段】本発明は、入力された電子番組情報から電子番組表を取得するとともに、記録手段に記録する機能を備えた情報受信手段１１と、記録手段から電子番組表を読み込む機能を備える録画手段１３とからなり、録画手段１３は、記録手段から読み込んだ電子番組表を用いて録画予約を実施することを特徴とする録画予約システムに関するものである。【選択図】  図１
2004363881.tif 000002
【特許請求の範囲】
【請求項１】
入力された電子番組情報から電子番組表を取得するとともに記録手段に記録する機能を備えた情報受信手段と、前記記録手段から前記電子番組表を読み込む機能を備える録画手段とからなり、前記録画手段は、前記記録手段から読み込んだ前記電子番組表を用いて録画予約を実施することを特徴とする録画予約システム。
【請求項２】
入力された電子番組情報から電子番組表を取得するステップと、前記電子番組表を記録手段に記録するステップと、前記記録手段から前記電子番組表を録画手段に読み込むステップと、前記録画手段によって前記記録手段から読み込んだ前記電子番組表を用いて録画予約を実施するステップとを備える録画予約方法。
【請求項３】
入力された電子番組情報から電子番組表を取得するとともに前記電子番組表から任意の番組情報を選択して記録手段に記録する機能を備える情報受信手段と、前記記録手段に記録した前記任意の番組情報を読み込む機能を備える録画手段とからなり、前記録画手段は、前記記録手段から読み込んだ前記番組情報を用いて録画予約を実施することを特徴とする録画予約システム。
【発明の詳細な説明】
【０００１】
【発明の属する技術分野】
本発明は、容易にテレビジョン放送の録画予約をできることを提供するため、記録媒体による録画機器の録画予約方法に関するものである。
【０００２】
【従来の技術】
従来のテレビジョン放送の録画機器への録画予約法は、録画機器で電子番組表情報（ＥＰＧ情報）を取得し、録画予約をしていた（例えば、特許文献１参照）。
【０００３】
【特許文献１】
特開平２−１８９７５３号公報
【０００４】
【発明が解決しようとする課題】
しかしながら上記の構成では、次のような問題点を有している。
【０００５】
録画機器において電子番組表情報（以下、番組表と記す）受信し、そして文字放送の情報をデコードする回路が必要であり、そのため録画機器が高価になる。
また、これを備えていないと録画予約に手間が掛かる。
【０００６】
【課題を解決するための手段】
上記課題を解決するために本発明の録画予約システムは、入力された電子番組情報から電子番組表を取得するとともに記録手段に記録する機能を備えた情報受信手段と、前記記録手段から前記電子番組表を読み込む機能を備える録画手段とからなり、録画手段は、記録手段から読み込んだ電子番組表を用いて録画予約を実施することを特徴とするものである。
【０００７】
この構成により、電子番組表情報を受信しそして文字放送の情報をデコードすることなく、録画番組予約を実行できる。
【０００８】
また本発明は、入力された電子番組情報から電子番組表を取得するとともに前記電子番組表から任意の番組情報を選択して記録手段に記録する機能を備える情報受信手段と、前記記録手段に記録した前記任意の番組情報を読み込む機能を備える録画手段とからなり、録画手段は、記録手段から読み込んだ番組情報を用いて録画予約を実施することを特徴とする録画予約システムである。
【０００９】
またこの録画システムまたは録画予約方法は、電子番組表を取得可能で、且つメモリーカード記録機能を備えたテレビで番組表をメモリカードに記録し、メモリカード読み込み機能を備えた録画機器にそのメモリカードを挿入し、番組表を読み込ませ、その番組表から録画予約する事で、容易に録画予約を可能とする効果を特徴とするという構成を備えたものである。
【００１０】
また本発明は、入力された電子番組情報から電子番組表を取得するステップと、前記電子番組表を記録手段に記録するステップと、前記記録手段から前記電子番組表を録画手段に読み込むステップと、前記録画手段によって前記記録手段から読み込んだ前記電子番組表を用いて録画予約を実施するステップとを備える録画予約方法に関する。
【００１１】
【発明の実施の形態】
本発明は、入力された電子番組情報から電子番組表を取得するとともに記録手段に記録する機能を備えた情報受信手段と、前記記録手段から前記電子番組表を読み込む機能を備える録画手段とからなり、前記録画手段は、前記記録手段から読み込んだ前記電子番組表を用いて録画予約を実施することを特徴とする録画予約システムに関するもの、または入力された電子番組情報から電子番組表を取得するステップと、前記電子番組表を記録手段に記録するステップと、前記記録手段から前記電子番組表を録画手段に読み込むステップと、前記録画手段によって前記記録手段から読み込んだ前記電子番組表を用いて録画予約を実施するステップを備える録画予約方法に関するものである。
【００１２】
また、本発明は、番組表を取得可能で、記録機能を備えたテレビで番組表をメモリカードに記録し、メモリカード読み込み機能を備えた録画機器にそのメモリカードを挿入し、番組表を読み込ませ、その番組表から番組を選択する事で、容易に録画予約を可能とする効果を特徴とするメモリカードによる録画機器の録画予約方法としたものであり、ユーザーの録画予約操作を容易にするという作用を有する。
【００１３】
本発明は、番組表を取得可能で、記録機能を備えたテレビと、そのテレビから番組表を記録したメモリカードと、メモリカード読み込み機能を持った録画機器を有するメモリカードによる録画機器の録画予約方法としたものであり、ユーザーの録画予約操作を容易にするという作用を有する。
【００１４】
本発明は、番組表を取得可能で、記録機能をもつメモリーカード記録機能を備えたテレビで、番組表の中で録画したい番組を選択する事でチャンネル、時間などの予約内容をメモリカードに記録し、メモリカード読み込み機能をもった録画機器に、そのメモリカードを挿入し、録画したい番組の予約内容を読み込ませる事で、容易に録画予約を可能とする効果を特徴とするメモリカードによる録画機器の録画予約方法としたものであり、ユーザーの録画予約操作を容易にするという作用を有する。
【００１５】
本発明は、番組表を取得可能で、記録機能を備えたテレビと、そのテレビから番組表の中で録画したい番組のチャンネル、時間などの予約内容を記録したメモリカードと、メモリカード読み込み機能を持った録画機器とを備え、容易に録画予約を可能とする効果を特徴とするメモリカードによる録画機器の録画予約方法としたものであり、ユーザーの録画予約操作を容易にするという作用を有する。
【００１６】
本発明は、放送電波で放送されていない日付の番組表を、パソコンでダウンロード後、メモリカードに記録し、前記メモリカード読み込み機能を持った録画機器に、そのメモリカードを挿入し、番組表を読み込ませ、その番組表から番組を選択する事で、容易に録画予約を可能とする効果を特徴とするメモリカードによる録画機器の録画予約方法としたものであり、ユーザーの録画予約操作を容易にするという作用を有する。
【００１７】
本発明は、放送電波で放送されていない日付の番組表をダウンロードするパソコンと、前記番組表を記録されたメモリカードと、前記メモリカードの読み込み機能を持った録画機器とを備え、容易に録画予約を可能とする効果を特徴とするメモリカードによる録画機器の録画予約方法としたものであり、ユーザーの録画予約操作を容易にするという作用を有する。
【００１８】
本発明は、前記放送電波で放送されていない日付の番組表の中で録画したい番組のチャンネル、時間などの予約内容を、パソコンなどでダウンロード後、メモリカードに記録し、前記メモリカード読み込み機能を持った録画機器に、そのメモリカードを挿入し、予約内容を読み込ませ録画予約する事で、容易に録画予約を可能とする効果を特徴とするメモリカードによる録画機器の録画予約方法としたものであり、ユーザーの録画予約操作を容易にするという作用を有する。
【００１９】
本発明は、前記放送電波で放送されていない日付の番組表の中で録画したい番組のチャンネル、時間などの予約内容をダウンロードするパソコンと、前記予約内容を記録されたメモリカードと、前記メモリカード読み込み機能を持った録画機器とを備え、容易に録画予約を可能とする効果を特徴とするメモリカードによる録画機器の録画予約方法としたものであり、ユーザーの録画予約操作を容易にするという作用を有する。
【００２０】
本発明は、前記放送電波で放送されていない日付の番組表を記録したメモリカードを、番組表の情報媒体、および番組表雑誌の付録とし販売することで、パソコンを使用しなくても、前記メモリカード読み込み機能を持った録画機器にそのメモリカードを挿入し、番組表を読み込ませ、その番組表から番組を選択する事で、容易に録画予約を可能とする効果を特徴とするメモリカードによる録画機器の録画予約方法としたものであり、ユーザーの録画予約操作を容易にするという作用を有する。
【００２１】
本発明は、番組表の情報媒体、および番組表雑誌の付録として、放送電波で放送されていない日付の番組表を記録したメモリカードと、前記メモリカード読み込み機能を持った録画機器を備え、容易に録画予約を可能とする効果を特徴とするメモリカードによる録画機器の録画予約方法としたものであり、ユーザーの録画予約操作を容易にするという作用を有する。
【００２２】
以下本発明の実施の形態について、図面を参照しながら説明する。
【００２３】
（実施の形態１）
図１は本発明の第１の実施例におけるメモリカードによる録画機器の録画予約方法のブロック構成図を示すものである。図１において、１１は番組表を取得可能で、且つメモリカード記録機能を備えたテレビジョン受信機（以下、テレビと記す）、１２はメモリカード、１３はメモリカードの読み込み機能を持った録画機器である。
【００２４】
以上のように構成されたメモリカードによる録画機器の録画予約方法について、図１を用いてその動作を説明する。
【００２５】
まず図１はメモリカードによる録画機器の録画予約方法の手順を示すものであって、番組表を取得可能で、メモリカード記録機能を備えたテレビ１１で番組表をメモリカードに記録し、メモリカード読み込み機能を備えた録画機器にそのメモリカードを挿入し、番組表を読み込ませ、その番組表からユーザーが録画予約する番組を選択する事で、番組の予約内容を入力でき、容易に録画予約を可能とする。
【００２６】
以上のように本実施例によれば、番組表を取得可能で、記録機能を備えたテレビ番組表を記録したメモリカードと、メモリカード読み込み機能を持った録画機器を設けることにより、その番組表から番組を選択する事で、容易に録画予約を可能とすることができる。
【００２７】
なお、第１の実施例において番組表をメモリカードに記録し、番組表から録画予約する事としたが、番組表の中で録画したい番組のチャンネル、時間などの予約内容をメモリカードに記録し、録画したい番組の予約内容を読み込ませる事で、録画予約をするでもよい。
【００２８】
第１の実施例において番組表を取得可能で、メモリカード記録機能を備えたテレビで番組表をメモリカードに記録、メモリカード読み込み機能を備えた録画機器にそのメモリカードを挿入としたが、番組表の情報媒体、および番組表雑誌の付録とし販売されている番組表の記録されたメモリカードを挿入としてもよい。
【００２９】
（実施の形態２）
図２は本発明の第２の実施例におけるメモリカードによる録画機器の録画予約方法のブロック構成図を示すものである。図３において、１４は番組表を取得するためのパソコンである。なお、前述した実施形態と同じ構成については同じ符号を用い、説明を省略する。
【００３０】
以上のように構成されたメモリカードによる録画機器の録画予約方法について、以下図２を用いてその動作を説明する。
【００３１】
まず図２はメモリカードによる録画機器の録画予約方法の手順を示すものであって、パソコン１４で番組表をダウンロードし、その番組表をメモリカードに記録し、メモリカード読み込み機能を備えた録画機器にそのメモリカードを挿入し、番組表を読み込ませ、その番組表からユーザーが録画予約する番組を選択する事で、番組の予約内容を入力でき、容易に録画予約を可能とする。
【００３２】
なお、第２の実施例において番組表をメモリカードに記録し、番組表から録画予約する事としたが、番組表の中で録画したい番組のチャンネル、時間などの予約内容をメモリカードに記録し、録画したい番組の予約内容を読み込ませる事で、録画予約をするでもよい。
【００３３】
【発明の効果】
以上のように本発明は番組表を記録した記録媒体と、この記録媒体の読み込み機能を持った録画機器を設けることにより、その番組表から番組を選択する事で、容易に録画予約を可能とすることができる。
【図面の簡単な説明】
【図１】本発明の第１の実施例における録画予約システムの構成を示す図
【図２】本発明の第２の実施例における録画予約システムの構成を示す図
【符号の説明】
１１  電子番組表を取得可能で、記録機能を備えたテレビ
１２  メモリカード
１３  メモリカード読み込み機能を持った録画機器
１４  パソコン
【図１】
2004363881.tif 000003
【図２】
2004363881.tif 000004